(57)【特許請求の範囲】
【請求項１】
ベルトの端部に挿入単体と、被挿入単体を設けたベルト用連結クリップであって、前記挿入単体はベルトの長さ方向に対して垂直方向から前記被挿入単体に設けた断面略Ｃ型の挿入受部に挿入することによって両単体を一体連結し、連結後において、ベルトの長さ方向に対して所定の力が加わった時には、前記挿入受部の断面略Ｃ型の開口部から前記挿入単体が外れることを特徴とするベルト用連結クリップ。
【請求項２】
挿入単体と被挿入単体は連結後、相対的に回動することができる請求項１に記載のベルト用連結クリップ。
【請求項３】
前記挿入単体は挿入部とベルト挿通部で構成され、前記被挿入単体は挿入受部とベルト挿通部とで構成されている請求項１または２に記載のベルト用連結クリップ。
【請求項４】
前記挿入単体側に凹溝を、前記被挿入単体側に前記凹溝に嵌合する凸部を形成することにより、前記挿入単体が前記被挿入単体と一体連結可能な請求項１ないし３のいずれかに記載のベルト用連結クリップ。
【請求項５】
前記挿入部と前記ベルト挿通部は互いの左右連結部材で連結しており、前記挿入受部は前記両連結部材により前記垂直方向への移動が拘束されている請求項３に記載のベルト用連結クリップ。
【発明の詳細な説明】
【０００１】
【発明の属する技術分野】
本発明は、ベルトを連結するためのベルト用連結クリップに関する。
【０００２】
【従来の技術】
従来、ペットボトルや社員証明のカード、展示会でのパスポート、電車等の公共機関で利用する定期券、携帯電話等がカバンの中や服のポケットに収納されることなく、ベルト状の紐からなる輪状のネックベルトを首から下げることにより、ネックベルトに予め取付けられた保持具に上記したようなペットボトル等の所望の品を取付けることにより、利用者の両手の自由を確保し、利便性を高めることを可能にしたネックベルトがあった。
【０００３】
前記ネックベルトに使用されているベルトを連結している連結部材はプラスチックその他の硬質弾性材による材料からなり、挿入単体と被挿入単体から構成される。この挿入単体は被挿入単体に嵌入しやすい構造からなり、被挿入単体の挿入受部へ嵌合する。被挿入単体から挿入単体を取り外す際には、利用者の意思によって解除レバーを操作することにより外すことができた。
【０００４】
【発明が解決しようとする課題】
以前から前記ネックベルトを首から下げている利用者が人々の混雑した場所や一定の動きをした場合、ベルトに何かが引っ掛かることにより、ベルトに強い力が加わり、利用者の首を締め付けてしまうという事例が生じており危険性があった。しかしながら利用者は首が締め付けられた時、前記ネックベルトに適用された連結部材の構造では利用者の意思により、すぐに解除レバーをもちいて挿入単体と被挿入単体との連結を解除することは困難であった。
【０００５】
本発明は、このような問題点に着目してなされたもので、利用者のベルトに首を締め付ける程の力が加わるとベルトの両端を連結している連結クリップが外れる構造をとる安全性を高めたベルト用連結クリップを提供することを目的とする。
【０００６】
【課題を解決するための手段】
上記課題を解決するために、本発明のベルト用連結クリップは、ベルトの端部に挿入単体と、被挿入単体を設けたベルト用連結クリップであって、前記挿入単体はベルトの長さ方向に対して垂直方向から前記被挿入単体に設けた断面略Ｃ型の挿入受部に挿入することによって両単体を一体連結し、連結後において、ベルトの長さ方向に対して所定の力が加わった時には、前記挿入受部の断面略Ｃ型の開口部から前記挿入単体が外れることを特徴としている。
この特徴によれば、前記挿入単体はベルトの長さ方向に対して垂直方向から被挿入単体に設けた断面略Ｃ型の挿入受部に挿入することで、円滑に挿入することができ、ベルトの長さ方向に対して所定の力が加わったときにのみ、挿入受部の断面略Ｃ型の開口部から挿入単体が外れるので、日常使用時には外れない構造とするとともに、利用者への危険性を回避できる。
【０００７】
本発明のベルト用連結クリップは、挿入単体と被挿入単体は連結後、相対的に回動することができることが好ましい。
このようにすれば、日常使用時にベルトに生じる力を分散し、ベルトに負担をかけずにすむ。
【０００８】
本発明のベルト用連結クリップは、前記挿入単体は挿入部とベルト挿通部で構成され、前記被挿入単体は挿入受部とベルト挿通部とで構成されていることが好ましい。
このようにすれば、挿入単体のベルト挿通部と被挿入単体の挿入受部へ挿入する挿入部が分かれて構成され、被挿入単体も同様にベルト挿通部と挿入受部が分かれて構成されているので、前記両単体の連結やベルト挿通作業が行いやすくなり、連結クリップの機能が向上し使用感が向上する。
【０００９】
本発明のベルト用連結クリップは、前記挿入単体側に凹溝を、前記被挿入単体側に前記凹溝に嵌合する凸部を形成することにより、前記挿入単体が前記被挿入単体と一体連結可能なことが好ましい。
このようにすれば、被挿入単体凸部が挿入単体凹部に嵌合されるため、より確実に挿入単体が被挿入単体と一体連結されることになる。
【００１０】
本発明のベルト用連結クリップは、前記挿入部と前記ベルト挿通部は互いの左右連結部材で連結しており、前記挿入受部は前記両連結部材により前記垂直方向への移動が拘束されていることが好ましい。
このようにすれば、前記垂直方向の力に対して挿入単体が被挿入単体から、すぐに連結が外れてしまうようなことはない。
【００１１】
【発明の実施の形態】
以下、本発明の実施例を図面に基づいて説明する。
【００１２】
図１には本発明の第１実施例としてのネックベルト１の連結クリップ２部分付近が拡大された斜視図が示されている。このネックベルト１はベルトの両端それぞれが連結クリップ２に挿通されることにより連結されている。このようにするとベルト両端を直接連結しないため、利用者の首回りのサイズや利用形態によって、ベルトを所望の長さに調整することが可能になる。
【００１３】
図２をもちいて前記連結クリップ２の構造を説明すると連結クリップ２は挿入単体３と被挿入単体４の２つの部材からなる。挿入単体３は略Ｈ型の形状をしており一方は被挿入単体４に挿入するための挿入部３ａが設けられ、もう他方にはベルト両端の一端側を挿通させるためのベルト挿通孔３ｂ’が施されたベルト挿通部３ｂが設けられている。そして挿入部３ａとベルト挿通部３ｂは互いの中央部分で連結した形状になっている。
【００１４】
前記被挿入単体４は挿入単体３の挿入部３ａを抜け落ちないように把持する構造をした断面略Ｃ型の挿入受部４ａと、前記ベルト両端の他端側を挿通させるためのベルト挿通孔４ｂ’が施されたベルト挿通部４ｂが隣接して接合されたような形状で連結している。
【００１５】
挿入単体３の挿入部３ａは図２に示されるように矢印の方向（図において示したベルトの長手方向に対して垂直方向）に向かって被挿入単体４の挿入受部４ａへ円滑に挿入することが可能である。そこで、上記挿入受部４ａに挿入部３ａが挿通する連結過程を詳述するために図２のＡ−Ａ線の断面図である図３(ａ)(ｂ)をもちいて説明する。
【００１６】
図３（ａ）は挿入部３ａが矢印方向に向かって挿入受部４ａの中程強まで嵌入している図を示している。前記挿入部３ａの先端に設けられた頭部３ａ−１と胴部３ａ−２はほぼ同径で、頭部３ａ−１と胴部３ａ−２の間には溝部３ａ−３が形成されている。そして挿入部３ａを把持する挿入受部４ａ把持面の終端部４ａ−４は前記挿入部３ａの径よりも若干小さい構造となっており、前記溝部３ａ−３に対する嵌合凸部として機能している。
【００１７】
そして図３（ｂ）では挿入部３ａが挿入受部４ａに嵌合した図が示されており、挿入部３ａの頭部３ａ−１が挿入受部４ａの把持面４ａ−１の終端部４ａ−４方向に強く挿入されると、終端部４ａ−４の径が弾性的に押し広げられる。さらに挿入し続けると、挿入部３ａの頭部３ａ−１が挿入受部４ａの把持面４ａ−１の終端部４ａ−４から抜け出るとともに、挿入受部４ａの押し広げられていた終端部４ａ−４の径が、押し広げられる前の径に弾性的に戻ることによって、頭部３ａ−１と胴部３ａ−２の間に施された溝部３ａ−３に嵌合して凹凸嵌合がなされ、挿入単体３と被挿入単体４は一体連結される。そして、頭部３ａ−１を更に挿入方向に向かって移動しようとしても挿入受部４ａの頭部４ａ−５に当接していまい、その移動は拘束される。
【００１８】
図４は上記の連結過程において、被挿入単体４に挿入単体３が嵌合した連結クリップ２の斜視図が示されており、挿入受部４ａは長手方向にスリットがきられ、断面略Ｃ型の開口両端部４ａ−２を形成している。さらに挿入単体３と被挿入単体４の両者が連結後、図に示される軸５を中心として、相対的に回動することが行えるように深い溝４ａ−３が形成されている。
【００１９】
上述した連結クリップ２の連結構造によって、図１のネックベルト１に利用者の首を締め付ける程の何らかの強い力が加えられた場合、図４に示されたベルトの長さ方向を示す２つの矢印方向に力が加わることになり、挿入単体３と被挿入単体４がそれぞれ相反する矢印の方向へ引っ張られることになる。すると連結クリップ２の挿入単体３の挿入部３ａが挿入受部４ａの断面略Ｃ型の開口両端部４ａ−２を弾性的に押し広げはじめ、挿入部３ａの直径部が開口両端部４ａ−２より脱出できる程度に押し広げられた時点で、挿入単体３は被挿入単体４から外れる。
【００２０】
したがって利用者の首がベルトに引っ掛かった場合においても、図１に示したネックベルト１の連結が外れる構造をもった連結クリップ２を用いることにより、従来からのネックベルト１の利便性を損なわずに安全性を確保することが可能になる。
【００２１】
次に図５には本発明の第２実施例として、ネックベルト１１の連結クリップ１２付近を拡大した斜視図が示されている。このネックベルト１１はベルトの両端がそれぞれ連結クリップ１２に挿通されている。このようにするとベルト両端を直接連結しないため、利用者の首回りのサイズや利用形態によって、ベルトを所望の長さに調整することが可能になる。
【００２２】
図６をもちいて前記連結クリップ１２の構造を説明すると連結クリップ１２は挿入単体１３と被挿入単体１４の２つの部材からなる。挿入単体１３は略ロ型の形状をしており、一方は被挿入単体１４に挿入するための挿入部１３ａが設けられ、もう他方にはベルト両端の一端側を挿通させるためのベルト挿通孔１３ｂ’が施されたベルト挿通部１３ｂが設けられている。そして挿入部１３ａとベルト挿通部１３ｂは互いの左右側面連結部材（１３ａ−１，１３ａ−２）で連結している。
【００２３】
前記右側面連結部材１３ａ−２は挿入部側は、挿入部３ａの断面の径とほぼ同径となっている。前記左側面連結部材１３ａ−１は挿入部３ａの断面の径よりも大径とすることにより、挿入受部１４ａに矢印方向へ挿入される挿入部１３ａを支えるストッパーの役割を果たしている。
【００２４】
前記被挿入単体１４は挿入単体１３の挿入部１３ａを抜け落ちないように把持する構造をした断面略Ｃ型の挿入受部１４ａと、前記ベルト両端の他端側を挿通させるためのベルト挿通孔１４ｂ’が施されたベルト挿通部１４ｂで構成されている。そして前記挿入単体１３の挿入部１３ａは図６に示されるように、ベルトの長手方向に対して垂直な矢印の方向に向かって、前記被挿入単体１４の挿入受部１４ａに嵌入していくことになる。
【００２５】
図７（ａ）では、被挿入単体１４に挿入単体１３が嵌合した連結クリップ１２の斜視図が示されており、挿入受部１４ａは長手方向にスリットがきられており、断面略Ｃ型の開口両端部１４ａ−２が形成されている。さらに挿入単体１３と被挿入単体１４の両者が連結後、図に示される軸１５を中心として、相対的に回動することが行えるようになっている。
【００２６】
上記挿入受部１４ａに挿入部１３ａが挿通された連結クリップ１２の連結過程構造を詳述するために、図７（ａ）の右側面図である図７(ｂ)をもちいて説明する。右側面連結部材１３ａ−２の幅Ｈが開口両端部１４ａ−２の開口幅より大きいので、挿入部１３ａの右側面連結部材１３ａ−２が断面Ｃ型の挿入受部１４ａに施された開口両端部１４ａ−２を押し広げながら嵌入していき、挿入受部１４ａが挿入単体１３の左右側面連結部材（１３ａ−１，１３ａ−２）の間に嵌ると、挿入単体１３の挿入部１３ａは被挿入単体１４の挿入受部１４ａに形成された把持面１４ａ−１に把持される。
【００２７】
また、被挿入単体１４の開口両端部１４ａ−２の開口幅が挿入単体１３の右側面連結部材１３ａ−２の幅Ｈよりも若干狭い開口になっていることにより、挿入方向と逆方向には移動しようとしてもその移動は拘束され、挿入方向には左側面連結部材１３ａ−１が挿入受部１４ａと当接するので、結局挿入単体１３は被挿入単体１４と一体連結されることになる。
【００２８】
次に連結クリップ１２の被挿入単体１４から挿入単体１３が外れる過程を図７（ａ）（ｂ）をもちいて説明すると、図５のネックベルト１１に利用者の首を締め付ける程の何らかの強い力がベルトの長さ方向に加えられた場合、ベルトを介して挿入単体１３と被挿入単体１４がそれぞれ引っ張られることになる。すると連結クリップ１２の挿入単体１３の挿入部１３ａが挿入受部１４ａの断面略Ｃ型の開口両端部１４ａ−２を弾性的に押し広げはじめ、挿入部１３ａの直径部が開口両端部１４ａ−２より脱出できる程度に押し広げられた時点で、挿入単体１３が被挿入単体１４から取り外れることになる。
【００２９】
以上、本発明の実施例を図面により説明してきたが、具体的な構成はこれら実施例に限られるものではなく、本発明の要旨を逸脱しない範囲における変更や追加があっても本発明に含まれるもので、例えば被挿入単体４（１４）の挿入受部４ａ（１４ａ）を取り外す力は、両単体の材料の種類から断面Ｃ型の挿入受部４ａの開口両端部４ａ−２の開口幅により、その強さを調整することができる。
【００３０】
また本実施例では連結クリップ２をネックベルト１に適用しているが、前記連結クリップ２はネックベルト１以外の種々のベルトにも使用可能である。
【００３１】
【発明の効果】
本発明は以下の効果を奏する。
【００３２】
（ａ）請求項１項の発明によれば、前記挿入単体はベルトの長さ方向に対して垂直方向から被挿入単体に設けた断面略Ｃ型の挿入受部に挿入することで、円滑に挿入することができ、ベルトの長さ方向に対して所定の力が加わったときにのみ、挿入受部の断面略Ｃ型の開口部から挿入単体が外れるので、日常使用時には外れない構造とするとともに、利用者への危険性を回避できる。
【００３３】
（ｂ）請求項２項の発明によれば、日常使用時にベルトに生じる力を分散し、ベルトに負担をかけずにすむ。
【００３４】
（ｃ）請求項３項の発明によれば、挿入単体のベルト挿通部と被挿入単体の挿入受部へ挿入する挿入部が分かれて構成され、被挿入単体も同様にベルト挿通部と挿入受部が分かれて構成されているので、前記両単体の連結やベルト挿通作業が行いやすくなり、連結クリップの機能が向上し使用感が向上する。
【００３５】
（ｄ）請求項４項の発明によれば、被挿入単体凸部が挿入単体凹部に嵌合されるため、より確実に挿入単体が被挿入単体と一体連結されることになる。
【００３６】
（ｅ）請求項５項の発明によれば、前記垂直方向の力に対して挿入単体が被挿入単体から、すぐに連結が外れてしまうようなことはない。
【図面の簡単な説明】
【図１】本発明が適用された第１実施例を示す一部拡大斜視図である。
【図２】連結クリップが連結される前の斜視図である。
【図３】連結クリップの連結過程を示したＡ−Ａ線の断面図である。
【図４】図２の連結クリップが連結された斜視図である。
【図５】本発明が適用された第２実施例を示す一部拡大斜視図である。
【図６】連結クリップが連結される前の斜視図である。
【図７】（ａ）  図６の連結クリップが連結された斜視図である。
（ｂ）  図７（ａ）の左側面図を示す図である。
【符号の説明】
（第１実施例）
１      ネックベルト
２      連結クリップ
３      挿入単体
３ａ  挿入部
３ａ−１  頭部
３ａ−２  胴部
３ａ−３  溝部
３ｂ  ベルト挿通部
３ｂ’ベルト挿通孔
４      被挿入単体
４ａ  挿入受部
４ａ−１  把持面
４ａ−２  開口両端部
４ａ−３  溝
４ａ−４  終端部
４ａ−５  頭部
４ｂ  ベルト挿通部
４ｂ’ベルト挿通孔
５      軸
（第２実施例）
１１      ネックベルト
１２      連結クリップ
１３      挿入単体
１３ａ  挿入部
１３ａ−１  左側面連結部材
１３ａ−２  右側面連結部材
１３ｂ  ベルト挿通部
１３ｂ’ベルト挿通孔
１４      被挿入単体
１４ａ  挿入受部
１４ａ−１  把持面
１４ａ−２  開口両端部
１４ｂ  ベルト挿通部
１４ｂ’ベルト挿通孔
１５      軸
Ｈ        右側面連結部材の幅
【図１】
0003836681.tif 000002
【図２】
0003836681.tif 000003
【図３】
0003836681.tif 000004
【図４】
0003836681.tif 000005
【図５】
0003836681.tif 000006
【図６】
0003836681.tif 000007
【図７】
0003836681.tif 000008